(57)【特許請求の範囲】
【請求項１】
複数の収納部に収納されている記録材を用いて印刷を行うための印刷制御装置であって、
印刷処理が実行されている第１印刷ジョブより後に印刷処理を実行するために待機している第２印刷ジョブにおいて使用すべき記録材が前記複数の収納部のいずれかに収納されているか、前記第１印刷ジョブの実行中に判定する判定手段と、
前記判定手段により前記第２印刷ジョブにおいて使用すべき記録材が前記複数の収納部に収納されていないと判定された場合、前記複数の収納部のそれぞれについて、前記第２印刷ジョブで使用すべき記録材に関するエラー状態の内容に基づいた異なるエラー情報を識別可能に通知する通知手段とを有することを特徴とする印刷制御装置。
【請求項２】
前記通知手段は、前記第２印刷ジョブにおいて使用されない記録材が収納されている収納部と記録材が収納されていない収納部とを識別可能に通知することを特徴とする請求項１に記載の印刷制御装置。
【請求項３】
前記通知手段は、さらに、前記複数の収納部の一つに収納されている記録材を用いた前
記第１印刷ジョブの印刷中に当該収納部の記録材がなくなったとき、同一の記録材が他の収納部に収納されていなかった場合、前記第１印刷ジョブにおいて使用すべき記録材がないことを識別可能に通知することを特徴とする請求項１または２に記載の印刷制御装置。
【請求項４】
前記通知手段は、さらに、前記第２印刷ジョブより後に印刷処理を実行するために待機している第３印刷ジョブが使用する記録材を収納していない収納部について、前記第３印刷ジョブが使用する記録材を収納していないことを示す情報を、前記エラー情報と共に、識別可能に通知することを特徴とする請求項１〜３のいずれか１項に記載の印刷制御装置。
【請求項５】
前記通知手段は、前記エラー情報として、前記第２印刷ジョブにおいて使用されない記録材を収納していることを示す第１エラー情報を識別可能に通知することを特徴とする請求項１〜４のいずれか１項に記載の印刷制御装置。
【請求項６】
前記通知手段は、前記エラー情報として、前記第２印刷ジョブにおいて使用すべき記録材を収納していないことを示す第２エラー情報を識別可能に通知することを特徴とする請求項１〜５のいずれか１項に記載の印刷制御装置。
【請求項７】
複数の収納部に収納されている記録材のいずれかを用いて印刷を行うための印刷制御装置において実行される印刷制御方法であって、
印刷処理が実行されている第１印刷ジョブより後に印刷処理を実行するために待機している第２印刷ジョブにおいて使用すべき記録材が前記複数の収納部のいずれかに収納されているか、前記第１印刷ジョブの実行中に判定する判定ステップと、
前記判定ステップにおいて、前記第２印刷ジョブにおいて使用すべき記録材が前記複数の収納部に収納されていないと判定された場合、前記複数の収納部のそれぞれについて、前記第２印刷ジョブで使用すべき記録材に関するエラー状態の内容に基づいた異なるエラー情報を識別可能に通知する通知ステップを有することを特徴とする印刷制御方法。
【請求項８】
請求項１〜６のいずれか１項に記載の印刷制御装置の各手段または請求項７に記載の印刷制御方法をコンピュータにより実現することを特徴とするプログラム。
【発明の詳細な説明】
【技術分野】
【０００１】
本発明は、複数の収納部に収納されている記録材を用いて印刷を行うための印刷制御装置、方法及びプログラムに関する。
【背景技術】
【０００２】
従来、記録紙等の記録材を収納可能な複数の収納部を有した印刷装置において、収納部を切り替えながら各収納部に収納されている記録材を用いて印刷を実行するものが知られている。このような印刷装置では、ユーザがこれから実行させる印刷ジョブで使用する記録材の種類を確認し、事前に記録材をセットしておくようにしている。これに対し特許文献１では、印刷開始後に、使用中の用紙と同一の用紙を収納している複数の収納部の使用順序とともに現在用紙の補給が可能な収納部を示し、印刷処理を行っている最中でも用紙の補給を可能としている。
【先行技術文献】
【特許文献】
【０００３】
【特許文献１】特開２００５−１９３４８６号公報
【発明の概要】
【発明が解決しようとする課題】
【０００４】
しかしながら、特許文献１は、ある１つの印刷ジョブを実行するにあたり現在使用している用紙と同サイズの用紙が他の収納部に存在する場合に各収納部の使用順序を示すものである。従って、現在収納部に収納されている用紙は現在実行中の印刷で使用すべき用紙である。そのため、ある収納部に現在印刷待ちの印刷ジョブでは使用しない用紙が収納されていた場合であっても、その用紙を現在印刷待ちの印刷ジョブで使用すべき用紙と入れ替えてよいかどうかの判断が困難であった。
【０００５】
本発明は、上述の問題点に鑑みなされたもので、印刷待ちの印刷ジョブで使用すべき記録材を、使用予定のない記録材に収納されている記録材と容易に入れ替えることのできる印刷制御装置、方法及びプログラムを提供するものである。
【課題を解決するための手段】
【０００６】
上記課題を解決するため、本発明の印刷制御装置は、複数の収納部に収納されている記録材を用いて印刷を行うための印刷制御装置であって、印刷処理が実行されている第１印刷ジョブより後に印刷処理を実行するために待機している第２印刷ジョブにおいて使用すべき記録材が前記複数の収納部のいずれかに収納されているか、前記第１印刷ジョブの実行中に判定する判定手段と、前記判定手段により前記第２印刷ジョブにおいて使用すべき記録材が前記複数の収納部に収納されていないと判定された場合、前記複数の収納部のそれぞれについて、前記第２印刷ジョブで使用すべき記録材に関するエラー状態の内容に基づいた異なるエラー情報を識別可能に通知する通知手段とを有する。
【発明の効果】
【０００７】
本発明によれば、複数の収納部に収納されている記録材について印刷待ちの印刷ジョブにおける使用予定の有無を通知するので、その結果に基づき収納部に収納されている記録材の入れ替えを行うことができる。
【図面の簡単な説明】
【０００８】
【図１】本発明の実施形態の一例である画像形成装置の構成を示す図である。
【図２】図１の画像形成装置の制御に関わる構成を示すブロック図である。
【図３】ホスト装置２１１から画像形成装置２００に送信される印刷ジョブの内容を示す図である。
【図４】操作部２０６の表示画面の例を示す図である。
【図５】実施形態における処理の流れを示すフローチャートである。
【図６】操作部２０６の表示画面の例を示す図である。
【図７】実施形態における処理の流れを示すフローチャートである。
【図８】実施形態における処理の流れを示すフローチャートである。
【図９】操作部２０６の表示画面の例を示す図である。
【図１０】操作部２０６の表示画面の例を示す図である。
【図１１】操作部２０６の表示画面の例を示す図である。
【発明を実施するための形態】
【０００９】
以下、本発明を実施するための形態について図面を用いて説明する。なお、この実施の形態で用いる装置の各構成要素の相対配置、装置形状等は、あくまで例示であり、それらのみに限定するものではない。
【００１０】
図１は、本実施形態における印刷制御装置の一例となる画像形成装置の概略構成を示す図である。図１の画像形成装置は、外部装置から受信したデータを印刷する印刷機能のみを有したものを示すが、これに限らず、原稿上の画像を読取る読取装置をさらに備えて複写機として機能するものや他の機能を加えた複合装置としてもよい。
【００１１】
また、印刷処理を行う記録材（被記録媒体または記録シート）としてロールシートを用いたものを例に説明する。このロールシートは連続シートの例であるが、ロール状となったもの以外でもよい。また、連続シートの切断は、画像形成装置が自動的に切断するものであってもよいし、ユーザがマニュアル指示を行って切断するものであってもよい。記録材の材質も紙には限らず、印刷処理可能なものであれば種々のものを用いることができる。また、画像形成装置は、連続シートへの印刷のみではなく、所定のサイズに予めカットされたカットシートへの印刷が可能な画像形成装置としてもよい。
【００１２】
また、印刷方式は後述する画像印刷用液体インクを用いたインクジェット方式による画像の印刷には限らない。記録材に付与する記録剤として固形インクを用いてもよいし、トナーを用いた電子写真方式、昇華方式、熱転写方式、ドットインパクト方式など種々のものを採用可能である。また、複数色の記録剤を用いたカラー記録を行うものには限らず、黒色（グレーを含む）のみによるモノクロ記録を行うものとしてもよい。また、印刷は、可視画像の印刷には限らず、不可視もしくは視認が困難な画像の印刷としてもよいし、一般的な画像以外の、例えば配線パターン、部品の製造における物理的パターン、ＤＮＡの塩基配列等のプリントなど種々のものの印刷としてもよい。つまり、記録剤を記録材に付与可能なものであれば種々のタイプの記録装置に適用可能である。また、図１の画像形成装置と接続された外部装置からの指示で当該画像形成装置における印刷処理の動作を制御させる場合、この外部装置が印刷制御装置となる。
【００１３】
図１は、記録材としてロールシート（搬送方向において印刷単位（１ページ）の長さよりも長い連続した連続シート）を用いた画像形成装置の全体構成の概略を示す断面図である。画像形成装置は、以下の構成要素１０１〜１１５を含み、これらが１つの筐体内に配置される。ただし、これらの構成要素を複数の筐体に分けて構成してもよい。
【００１４】
制御ユニット１０８は、コントローラ（ＣＰＵまたはＭＰＵを含む）やユーザインターフェース情報の出力器（表示情報や音響情報などの発生器）、各種Ｉ／Ｏインターフェースを備えた制御部を内蔵し、画像形成装置全体の各種制御を司る。
【００１５】
ロールシートを収納し、そして供給するユニットとして上段シートカセット１０１ａと下段シートカセット１０１ｂの２基を備える。使用者はロールシート（以下、シート）をマガジンに装着してから画像形成装置本体に装填する。上段シートカセット１０１ａから引き出されたシートは図中ａ方向に、下段シートカセット１０１ｂから引き出されたシートは図中ｂ方向にそれぞれ搬送される。いずれのカセットからのシートも図中ｃ方向に進行して搬送ユニット１０２に到達する。搬送ユニット１０２は、複数の回転ローラ１０４を通して印刷処理中にシートを図中ｄ方向（水平方向）に搬送する。供給元のシートカセットを一方から他方に切り替える際は、既に引き出されているシートをカセット内に巻き戻し、新たに供給させるシートがセットされているカセットから新たに供給する。また、シートカセットは２基単位で増設も可能であり、増設されるシートカセットは図１で見てシートカセット１０１ａ、１０１ｂの右側に配置され、やはりａ方向、ｂ方向にシートが搬送される。各シートカセットのロールシートを交換する際には、ユーザがシートマガジンのドアをオープンさせ、ロールシートまたはロールシートを使い切っている場合にはロールの芯を抜き取り、新たなロールシートを装着させる。シートマガジンのドアがオープンされている間は、当該シートカセットからのシートの供給処理は禁止される。
【００１６】
また、各シートカセットにセットされているロールシートはセンサによってロールの直径が計測され、おおよその残量（長さ）が判定される。そして印刷処理によってロールシートが使用されるとその長さを計測し、残量を更新する。またロールシートの直径も定期的に計測され、残量は適宜補正される。なお、直径の計測に代え、半径の計測や、ロールの芯から最も外側の位置までの距離を計測するなど、種々の方法を用いてもよい。
【００１７】
搬送ユニット１０２の上方にはヘッドユニット１０５が搬送ユニット１０２と対向して配置される。ヘッドユニット１０５では複数色（本実施形態では７色）分の独立した印刷ヘッド１０６がシートの搬送方向に沿って保持されている。本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つの印刷ヘッドを有す。もちろん、これら以外の色を用いたものでもよいし、これらの全てを用いる必要もない。
【００１８】
本画像形成装置は、搬送ユニット１０２によるシートの搬送に同期させて、印刷ヘッド１０６からインクを吐出させてシート上に画像を形成する。なお、印刷ヘッド１０６はインクの吐出先が回転ローラ１０４と重ならない位置に配置される。インクはシートに直接吐出させるのに代え、中間転写体にインクを付与した後、そのインクをシートに付与することによって画像を形成させるものとしてもよい。
これら搬送ユニット１０２、ヘッドユニット１０５、印刷ヘッド１０６を含んで本実施形態の印刷用ユニットが構成されている。
【００１９】
インクタンク１０９は各色のインクを独立して貯蔵する。インクタンク１０９からはチューブによって各色に対応して設けられたサブタンクまでインクが供給され、サブタンクから各印刷ヘッド１０６までチューブを介してインクが供給される。印刷ヘッド１０６は、印刷時の搬送方向ｄ方向に沿って各色（本実施形態では７色）のラインヘッドが並んでいる。各色のラインヘッドは、継ぎ目無く単一のノズルチップで形成されたものであってもよいし、分割されたノズルチップが一列又は千鳥配列のように規則的に並べられたものであってもよい。本実施形態では、本装置が使用可能な最大サイズのシートの印刷領域の幅分をカバーする範囲にノズルが並んでいる所謂フルマルチヘッドとする。ノズルからインクを吐出するインクジェット方式は、発熱素子を用いた方式、ピエゾ素子を用いた方式、静電素子を用いた方式、ＭＥＭＳ素子を用いた方式等を採用することができる。印刷データに基づいて各ヘッドのノズルからインクが吐出されるが、吐出のタイミングは搬送用エンコーダ１０３の出力信号によって決定される。
【００２０】
シートに画像が形成された後、当該シートは搬送ユニット１０２から、スキャナユニット１０７まで搬送される。スキャナユニット１０７では、シート上の印刷画像や特殊パターンを光学的に読取って印刷画像に問題がないかどうかの確認や、インクの吐出状態を含む本装置の状態確認等を行う。印刷画像の確認方法としては、ヘッドの状態の確認するためのパターンを読み込むことによるインクの吐出状態を確認するものでもよいし、元画像との比較を行うことによる印刷の成否を確認するものでもよい。確認の方法は種々のものの中から適宜選択することが可能である。
【００２１】
シートはスキャナユニット１０７近傍からｅ方向に搬送され、カッタユニット１１０に導入される。カッタユニット１１０ではシートを所定の印刷単位の長さ毎に切断する。印刷する画像サイズに応じてこの所定の印刷単位の長さは異なる。例えばＬ版サイズの写真では搬送方向の長さは１３５ｍｍ、Ａ４サイズでは搬送方向の長さは２９７ｍｍとなる。カッタユニット１１０は、片面印刷の場合はページ単位でシートを切断するが、印刷ジョブの内容によってはページ単位で切断しない場合もある。また、カッタユニット１１０は両面印刷の場合、シートの第１面（先に印刷が行われる面。たとえばおもて面）はページ単位で切断せずに所定の長さ分まで画像を連続して印刷し、第２面（後に印刷が行われる面。たとえば裏面）を印刷した場合にページ単位で切断する。なお、カッタユニット１１０は、片面印刷や両面印刷の裏面印刷に際し、１枚の画像毎に切断するものに限らない。所定の長さ分搬送されるまで切断せず、所定の長さまで搬送された後で切断し、１枚（１頁）の画像毎に切り離すのは別のカッタ装置で手動操作等によって切断するものとしてもよい。またシートの幅方向に関しては、切断が必要な場合、別のカッタ装置を用いて切断することになる。
【００２２】
カッタユニット１１０から搬送されたシートは、ユニット内を図中ｆ方向に搬送され、裏面印字ユニット１１１に搬送される。裏面印字ユニット１１１は、シートの片面のみに画像を印刷する場合に、シートの裏面に所定の情報を印刷させるためのユニットである。シートの裏面に印刷する情報としては、印刷画像毎に対応した文字、記号、コード等の情報（例えば、オーダー管理用番号等）が含まれる。裏面印字ユニット１１１は、印刷ヘッド１０６が両面印刷の印刷ジョブのための画像を印刷する場合、印刷ヘッド１０６が画像を印刷する領域以外に上記のような情報を印刷する。裏面印字ユニット１１１は、記録剤の押印、熱転写、インクジェットなどの方式を採用可能である。
【００２３】
裏面印字ユニット１１１を通ったシートは、次に乾燥ユニット１１２に搬送される。乾燥ユニット１１２は、インクが付与されたシートを短時間で乾燥させるために、ユニット内を図中ｇ方向に通過するシートを温風（加温された気体（空気））で加熱するユニットである。なお、乾燥の方法は温風を用いるのに代え、冷風、ヒーターによる加温、待機させることのみによる自然乾燥、紫外光等の電磁波の照射など種々のものも採用可能である。印刷単位長さに切断されたシートは１枚ずつ乾燥ユニット１１２内を通過して、図中ｈ方向に搬送されて仕分けユニット１１４に搬送される。
【００２４】
仕分けユニット１１４は、複数のトレー（本実施形態では１８個）を保持しており、印刷単位の長さ等に応じでシートの排出先のトレーを区別する。各トレーにはトレー番号が割り当てられている。仕分けユニット１１４では、ユニット内を図中ｉ方向に通過するシートを、各トレー上に設けられたセンサでトレーの空きやシートが満載か否かなどを確認しながら印刷画像毎に設定されたトレー番号に対応するトレーに排出していく。切断されたシートの排出先となるトレーは、印刷ジョブの発行元（ホスト装置）で特定のものが指定される場合や、画像形成装置側で空いているトレーが任意に指定される場合がある。１つのトレーには予め決められた枚数まで排出可能である。この予め決められた枚数を超える印刷ジョブの場合、複数のトレーに跨って排出される。トレーに対して排出可能なシートの枚数やサイズ、種類などは、そのトレーの大きさ（タイプ）等によって異なっている。図１において縦（上下）に並んでいるトレー（以下、大トレー）群は大サイズ（Ａ４サイズ等、Ｌ版サイズより大きいもの）のシート、小サイズ（Ｌ版サイズ）の両方のシートの排出が可能である。また、横（左右）に並んでいるトレー（以下、小トレー）群は小サイズ（Ｌ版サイズ）のシートの排出が可能であるが大サイズのシートの排出はできない。そして、大トレーの方が小トレーより排出可能なシートの出力枚数が多い。
【００２５】
また、シート排出中や排出完了等の状態は、表示器を用いてユーザが識別可能にする（例えば、ＬＥＤ等を用いる）。例えば、トレーのそれぞれに互いに異なる色で発光する複数のＬＥＤを設け、点灯しているＬＥＤの色や点灯状態か点滅状態かなどによって各トレーの種々の状態をユーザに通知可能である。また、複数のトレーのそれぞれには優先順位を付すことができ、画像形成装置は、印刷ジョブを実行するにあたり、空いている（シートが存在しない）トレーを、優先順位に従って順にシートの排出先として割り当てていく。デフォルトでは、大トレーは上のトレーほど優先順位が高く、小トレーは左側ほど優先順位が高い。また大トレーより、小トレーの優先順位が高い。この優先順位はユーザがシートを取り出しやすい位置の優先順位を予め高くしておいてもよい。またユーザによる操作等で適宜変更可能なものとしてもよい。
【００２６】
シート巻取りユニット１１３は、ページ毎に切断されずにおもて面が印刷されたシートの巻取りを行う。両面印刷の際にはまずおもて面に画像形成が行われたシートを、カッタユニット１１０でページ単位では切断せず、連続したおもて面の印刷が終了した後に切断する。おもて面が印刷されたシートは、ユニット内を図中のｊ方向に通過し、シート巻取りユニット１１３が巻取る。そして、一連のページ分のおもて面の画像形成が終了して、巻き取られたシートは、先のおもて面とは反対面を印刷可能な面にして、つまり印刷ヘッド１０６に対向させる面を反転させて、再度ユニットの図中のｋ方向に搬送される。このように搬送させることで、先のおもて面とは反対の裏面の画像の印刷を行わせる。通常の片面印刷の場合は、画像が印刷されたシートは、シート巻取りユニット１１３による巻取りを行わせずに仕分けユニット１１４に搬送される。
【００２７】
このように、両面印刷の際は、シート巻取りユニット１１３を用いてシートの巻取りを行い、シートを反転させて裏面の印刷を行うため、片面印刷のときと両面印刷のときとでは仕分けユニット１１４への排出の際のシートの面が異なる。即ち、片面印刷の場合はシート巻取りユニット１１３を用いたシートの反転が行われないので、先頭ページの画像が印刷されたシートは先頭ページの画像が下を向いた状態で排出される。そして１つの印刷ジョブが複数ページあるジョブの場合、先頭ページのシートからトレーに排出され、以後後続のページへと順次排出されシートが重なっていく。このような排出をフェイスダウン排出と呼ぶ。一方、両面印刷の場合はシート巻取りユニット１１３を用いたシートの反転が行われるので、先頭ページの画像が印刷されたシートは先頭ページの画像が上を向いた状態で排出される。そして１つの印刷ジョブが複数枚のシートの出力を行うジョブの場合、最後のページを含むシートからトレーに排出され、以後若いページのシートへと順次排出されシートが重なっていき、最終的に先頭ページの画像が印刷されたシートが排出される。このような排出をフェイスアップ排出と呼ぶ。なお、片面印刷の場合と両面印刷の場合とで排出の際のシートの面を同じ（フェイスアップまたはフェイスダウンに統一）とすべく、片面印刷時と両面印刷時とで第１面の印刷順序（降順とするか昇順とするか）を変えるようにしてもよい。
【００２８】
操作ユニット１１５は、ユーザが種々の操作を行ったり、ユーザに種々の情報を通知したりするためのユニットである。例えば、ユーザに指定された画像が印刷されたシートはどこのトレーに積載されているか、あるいは当該画像が印刷中か印刷終了かなど、オーダー毎の印刷状況の確認が可能である。また、インク残量や、シートの残量等、装置の各種状態の確認、ヘッドクリーニング等の装置メンテナンスの実施の指示を行うためにユーザが操作／確認可能である。
【００２９】
図２は、図１で示した画像形成装置における制御に関わる構成を説明するためのブロック図である。画像形成装置２００は図１に示した画像形成装置である。ただし、以下の構成は一例であり、種々の変更が可能である。
【００３０】
ＣＰＵ２０１、ＲＯＭ２０２、ＲＡＭ２０３、画像処理部２０７、エンジン制御部２０８、スキャナ制御部２０９が主に制御ユニット１０８に含まれる。そして、制御ユニット１０８にＨＤＤ２０４、操作部２０６、外部Ｉ／Ｆ２０５などがシステムバス２１０を介して接続される。
ＣＰＵ２０１は、マイクロプロセッサ（マイクロコンピュータ）形態の中央演算処理部であり、図１の制御ユニット１０８に含まれる。ＣＰＵ２０１は、プログラムの実行やハードウェアの起動により画像形成装置２００全体の動作を制御する。ＲＯＭ２０２は、ＣＰＵ２０１が実行するためのプログラムや画像形成装置２００の各種動作に必要な固定データを格納する。ＲＡＭ２０３は、ＣＰＵ２０１のワークエリアとして用いられたり、種々の受信データの一時格納領域として用いられたり、各種設定データを記憶させたりする。ＨＤＤ２０４は、ＣＰＵ２０１が実行するためのプログラム、印刷データ、画像形成装置２００の各種動作に必要な設定情報を、内蔵するハードディスクに記憶させたり、読み出したりすることが可能である。なお、ＨＤＤ２０４に代えて、他の大容量記憶装置としてもよい。
【００３１】
操作部２０６は、ユーザが種々の操作を行うためのハードキーやタッチパネル、またユーザに種々の情報を提示（通知）するための表示部を含み、図１の操作ユニット１１５に対応するものである。またユーザへの情報の提示は音声発生器からの音響情報に基づく音響（ブザー、音声等）を出力することによっても行うこともできる。
【００３２】
画像処理部２０７は、画像形成装置２００で扱う印刷データ（例えば、ページ記述言語で表されたデータ）の画像データ（ビットマップ画像）への展開（変換）や画像処理を行う。入力された印刷データに含まれる画像データの色空間（たとえばＹＣｂＣｒ）を、標準的なＲＧＢ色空間（たとえばｓＲＧＢ）に変換する。また、画像データに対し、有効な（画像形成装置２００が印刷処理可能な）画素数への解像度変換、画像解析、画像補正等、様々な画像処理が必要に応じて施される。これらの画像処理によって得られた画像データは、ＲＡＭ２０３または、ＨＤＤ２０４に格納される。
【００３３】
エンジン制御部２０８は、ＣＰＵ２０１等から受信した制御コマンドに応じて、印刷データに基づく画像をシート上に印刷する処理の制御を行う。各色の印刷ヘッド１０６へのインク吐出指示や、記録媒体上でのドット位置（インクの着弾位置）を調整するための吐出タイミング設定、ヘッド駆動状態取得に基づく調整等を行う。印刷データに応じて印刷ヘッドの駆動制御を行い、印刷ヘッドからインクを吐出させシート上に画像を形成させる。また、シートをカセットから引き出す引き出しローラの駆動指示、引き出されたシートを搬送させる搬送ローラの駆動指示、搬送ローラの回転状況取得等を行う等、搬送ローラの制御を行い、シートを適切な速度及び経路で搬送および停止させる。
【００３４】
スキャナ制御部２０９は、ＣＰＵ２０１等から受信した制御コマンドに応じて、イメージセンサーの制御を行い、シート上の画像を読取り、赤（Ｒ）、緑（Ｇ）および青（Ｂ）色のアナログ輝度データを取得し、デジタルデータに変換する。イメージセンサーとしては、ＣＣＤイメージセンサーやＣＭＯＳイメージセンサー等を採用可能である。また、イメージセンサーはリニアイメージセンサーとしてもエリアイメージセンサーとしてもよい。また、スキャナ制御部２０９は、イメージセンサーの駆動指示、該駆動に基づくイメージセンサーの状況取得を行い、イメージセンサーから取得した輝度データを解析し、印刷ヘッド１０６からのインクの不吐やシートの切断位置の検出等を行う。スキャナ制御部２０９で画像が正しく印刷されていると判定されたシートは、シート上のインクの乾燥処理が施された後に、指定された仕分けユニットのトレーに排出される。
【００３５】
ホスト装置２１１は、上述した外部装置に対応し、本画像形成装置２００の外部に接続され、画像形成装置２００に印刷を行わせるための画像データの供給源となる装置であり、種々の印刷ジョブのオーダーを発行する。
【００３６】
ホスト装置２１１は、汎用のパーソナルコンピュータ（ＰＣ）によって実現してもよいし、他のタイプのデータ供給装置としてもよい。他のタイプのデータ供給装置としては、画像をキャプチャーして画像データを生成する画像キャプチャー装置がある。画像キャプチャー装置は、原稿上の画像を読取って画像データを生成するリーダ（スキャナ）、ネガフィルムやポジフィルムを読取って画像データを生成するフィルムスキャナなどである。また、画像キャプチャー装置の他の例として静止画を撮影してデジタル画像データを生成するデジタルカメラ、動画を撮影して動画像データを生成するデジタルビデオもある。その他、ネットワーク上にフォトストレージを設置し、ネットワーク経由でフォトストレージに記憶されている画像ファイルを取得して当該画像ファイルから生成した画像データの画像を印刷するものとしてもよい。また、画像形成装置２００に着脱可能な可搬性メモリを挿入するソケットを設け、可搬性メモリに格納された画像ファイルを読み出して画像データを生成して印刷するものとしてもよい。また、汎用的なＰＣに代え、本画像形成装置専用の端末とするなど、種々のデータ供給装置としてもよい。これらのデータ供給装置は画像形成装置の構成要素としてもよいし、画像形成装置の外部に接続した別の装置としてもよい。また、ホスト装置２１１をＰＣとした場合、ＰＣの記憶装置に、ＯＳ、画像データを生成するアプリケーションソフトウェア、画像形成装置２００用のプリンタドライバがインストールされる。プリンタドライバは、本画像形成装置２００を制御したり、アプリケーションソフトウェアから供給された画像データを画像形成装置２００が扱える形式に変換して印刷データを生成したりする。また、印刷データから画像データへの変換をホスト装置２１１側で行ってから画像形成装置２００に供給するようにしてもよい。なお、以上の処理の全てをソフトウェアで実現することは必須ではなく、一部または全部をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによって実現するようにしてもよい。ホスト装置２１１から供給される画像データやその他のコマンド、更にステータス信号等は、外部Ｉ／Ｆ２０５を介して画像形成装置２００と送受信可能である。外部Ｉ／Ｆ２０５はローカルＩ／ＦであってもネットワークＩ／Ｆであってもよい。また、外部Ｉ／Ｆ２０５は、有線による接続であっても無線による接続であっても構わない。
画像形成装置２００内の上記した各構成はシステムバス２１０を介して接続され、互いに通信可能である。
【００３７】
なお、以上の例では、１つのＣＰＵ２０１が図２に示した画像形成装置２００内の全ての構成要素を制御するものとしたが、この構成以外としてもよい。即ち、各機能ブロックのいくつかが別途ＣＰＵを備え、それぞれのＣＰＵによって個別に制御するものとしてもよい。また、各機能ブロックは図２に示した構成以外の分担のさせ方により個別の処理部または制御部として適宜分割したり、いくつかを統合したりするなど、種々の形態を採用可能である。また、メモリからのデータの読み出しにはＤＭＡＣ（Ｄｉｒｅｃｔ  Ｍｅｍｏｒｙ  Ａｃｃｅｓｓ  Ｃｏｎｔｒｏｌｌｅｒ）も用いることもできる。
【００３８】
ホスト装置２１１から送信された印刷ジョブを画像形成装置２００が受信して印刷を行わせる場合、図３に示すようにホスト装置２１１から印刷物の注文者によって仕上がりサイズなどの印刷設定が行われる。ここでは仕上がりサイズとして６×８インチ、印刷部数として１５が指定された例を示している。そして、画像形成装置２００ではこれを受信し、ＨＤＤ２０４において印刷ジョブとして登録する。図３では、注文者によって指定された印刷ジョブを注文１としてホスト装置２１１が管理し、画像形成装置２００が注文１として受け取った印刷ジョブをＪＯＢＩＤ＿０３として管理する例を示している。
【００３９】
画像形成装置２００によりロールシートを用いた印刷を行わせる場合、以下の手順となる。
まず、画像形成装置２００が新たな印刷ジョブを受け付けると、一旦ＨＤＤ２０４に格納する。そしてＨＤＤ２０４に格納された印刷ジョブに設定されている印刷設定（使用可能なシートのサイズ及び材質、印刷モード（片面印刷、両面印刷、製本印刷等）等を確認する。そしてこの印刷設定の確認の結果、当該印刷ジョブにおける印刷順序（ページ順序）が決定される。即ち、フェイスダウン排出を行う場合、片面印刷であれば、ページの若い順に印刷が実行されるように決定する。シートの両面に印刷を行う場合（両面印刷、製本印刷）は、先頭ページとは反対面に配置されるページを、最もページ数の大きいページから順に降順でシートの第一面に、その後第２面にその反対面に配置するページを昇順で印刷するよう決定する。通常の両面印刷の場合、第１面に偶数ページを降順で連続して印刷させ、その後第２面に奇数ページを昇順で連続して印刷させるように印刷順序を決定する。また、画像形成装置２００はシートの両面への印刷を行う場合であって前後の印刷ジョブで同じシートを使用可能な場合、複数の印刷ジョブの第１面を連続して印刷させ、その後第２面への印刷を連続して印刷させる。これによりシートの反転回数を減らす。従って、印刷順序を決定する際、前後の印刷ジョブの印刷設定を確認し、その結果に従って印刷順序が決定される。このとき対象の印刷ジョブの印刷設定及び前後の印刷ジョブの印刷設定に基づきなるべく同一のシートを用いた印刷を連続して行えるよう使用すべきシートも決定する。
【００４０】
なお、複数のページ（画像）を連続して印刷する、とは単にシートの同一面に配置されるページを連続して印刷させるものであり、ページ間の隙間の有無を問うものではない。即ち、ページ間に余白を設けたものも含む。また、印刷ジョブのページ構成によっては印刷される画像が存在しないページもあり得る。
【００４１】
また、新たな印刷ジョブを受け付ける毎にＨＤＤ２０４に設けられるキューに順次印刷ジョブが登録される。そして、上記での印刷設定の確認結果に従い、キューに含まれる印刷ジョブで使用するシートのシート情報（サイズ及び材質）、シート情報に基づく使用予定のカセット、印刷ジョブのステータス（進捗やエラーの可否）がＨＤＤ２０４内で管理される。また、各ジョブの印刷の内容に基づき各印刷ジョブが開始される時刻（日時）、所要時間も算出され、これらの情報も管理される。
【００４２】
そして以上のように印刷順序が決定されると、キューの先頭の印刷ジョブから順に印刷が完了するように、印刷ジョブの印刷データが画像処理部２０７に供給される。このときシートの両面に印刷させる場合、上記のように複数の印刷ジョブの第１面に配置されるページが連続して印刷される。従って、連続して印刷させる複数の印刷ジョブのうち最後尾の印刷ジョブの印刷データから先に画像処理部２０７に供給される（フェイスダウン排出の場合）。即ち、シートの第１面に、連続して印刷される印刷ジョブの最後尾の印刷ジョブの先頭ページとは反対面に配置されるページ群のうち最後尾のページから降順で印刷が開始され、最後に先頭の印刷ジョブの、当該面に配置される先頭のページが印刷されるようにする。すると、シートの第２面では先頭の印刷ジョブの先頭ページから印刷が行われ、順次次の印刷ジョブの第２面への印刷へと移っていく。これにより結果として先頭の印刷ジョブからフェイスダウン排出が行われ、印刷が完了する。
【００４３】
画像処理部２０７が受け付けた印刷データに従って生成した印刷対象の画像データは順次ＨＤＤ２０４に格納される。そしてＨＤＤ２０４に格納された画像データは、決定した印刷順序に従って順次エンジン制御部２０８に供給される。このとき、印刷ジョブに設定されている印刷設定等の属性に基づく、シートのどちらの面に印刷するための画像データであるか（両面に印刷する場合）、ページ番号、そして印刷ジョブを特定可能な情報も画像データとともにエンジン制御部２０８に通知される。またＨＤＤ２０４に格納される画像は印刷の方法等に応じて９０度単位で回転処理が施されることもある。
【００４４】
この画像データを受け取ったエンジン制御部２０８は印刷する画像のサイズ（仕上がりサイズ）に応じたシートカセットからシートを供給させるとともにヘッドユニット１０５による印刷位置まで搬送させる。そして印刷ヘッド１０６から画像データに応じてインクを吐出させシート上に画像を形成させる。印刷済みの画像はスキャナユニット１０７により印刷の成否が判定され、正しく印刷されていると判定されれば乾燥ユニット１１２による乾燥処理が行われる。正しく印刷されていないと判定されればカッタユニット１１０によるシートの切断が行われ、仕分けユニット１１４の各トレーのうち、不良物を排出するトレー（例えば最下部にあるトレー）に排出させる。そして正しく印刷されなかった分は再印刷を行わせるべくエンジン制御部２０８への画像データの再供給を行い、上記処理を繰り返す。シートの両面に印刷させる場合は表裏の画像の両方が正しく印刷されている場合以外は再印刷を行わせる。
【００４５】
また、エンジン制御部２０８による印刷を実行している印刷ジョブが片面印刷であった場合、画像が印刷されたシートはページ単位でカッタユニット１１０による切断を行わせる。そして切断されたシートは仕分けユニット１１４の指定されたトレーに排出される。一方、シートの両面に印刷させる印刷ジョブであり、第１面への印刷を複数ページ連続させる場合、第１面への印刷を行ってもページ単位ではカッタユニット１１０による切断を行わせず、最後尾のページを印刷させた後に切断させる。第１面に画像が印刷されたシートはシート巻取りユニット１１３に供給され、第２面への印刷を行う際、シート巻取りユニット１１３を逆回転させ、切断面からヘッドユニット１０５の方にシートを供給させる。そして第２面への印刷が行われるとページ単位でカッタユニット１１０による切断を行わせる（印刷設定によってはページ単位で切断されないこともある）。そして印刷及び切断済みのシートは仕分けユニット１１４の指定されたトレーに排出される。また、裏面印字ユニット１１１による情報の印字を行うよう設定されている場合、シートが切断された後、裏面印字ユニット１１１による印字も行われる。
以上のようにして一連の印刷処理が順次行われ、印刷処理の進行とともにキューで管理している印刷ジョブの情報も更新される。
【００４６】
図４は、操作ユニット１１５（操作部２０６）の表示画面の例を示す図である。図４において、４０１は画像形成装置２００本体の状態を示す表示領域であり、画像形成装置２００の外観図上に装置内各部の状態を示す情報が模式的に付加される。状態の情報には、各トレー上のシートの有無、エラー状態、また各シートカセットのシートの有無、シートの種類、エラー状態等が含まれる。ジョブ一覧４０２は画像形成装置２００が受け付け、まだ印刷が完了していない印刷ジョブの一覧が表示される。この印刷ジョブの一覧では印刷ジョブを特定するジョブＩＤ、印刷ジョブの状態、印刷ジョブで使用し得るシートのシート幅、印刷ジョブで指定されているシートの種類、印刷部数などが含まれる。４０３は画像形成装置２００の消耗品の状態を表示する領域であり、ここでは消耗品としてシートの状態を示している。ここではシートカセットが２基増設され、画像形成装置２００に４つのシートカセットが存在する例を示している。各シートカセット毎に、シートの有無、シートの種別、シートの残量等の状態、そしてこれらのシートの使用状況が示される。４０４はステータス表示領域であり、画像形成装置２００の動作状態やエラー状態などのステータスを示すメッセージが表示される。
【００４７】
次に、ホスト装置２１１からの印刷ジョブを画像形成装置２００が受け付け、印刷が行われるまでの処理の流れを説明する。ここでは特に図３で示した注文１のような内容の印刷ジョブを処理する場合の例について説明するが、他の内容の印刷ジョブの場合も同様の流れで処理が行われる。
【００４８】
図５は、図３に示した注文１を画像形成装置２００が印刷ジョブとして受け付け、それを実行する際の処理の流れを示すフローチャートである。このフローチャートはＣＰＵ２０１が、ＲＯＭ２０２またはＨＤＤ２０４に格納されている制御プログラムをＲＡＭ２０３にロードし、それを実行することにより行われる処理の流れを示す。
【００４９】
まず、Ｓ５０１で注文者によって作成された注文１の情報がホスト装置２１１より送信され、画像形成装置２００は外部Ｉ／Ｆ２０５を介して注文１の情報を受信する。受信した注文情報に対して順次ジョブＩＤが割り当てられるが、ここではＪＯＢＩＤ＿０３が割り当てられたものとする。
そしてＳ５０２でＣＰＵ２０１は、受信した注文情報に含まれる設定情報から指定されている仕上がりサイズなどの情報を取得し、印刷可能なシート幅の候補を判定する。
ここでは、注文１の仕上がりサイズは縦６インチ、横８インチなので、印刷可能なシート幅は６インチ、または８インチと判定し、Ｓ５０３においてＪＯＢＩＤ＿０３のシート幅としてこの判定したシート幅をＨＤＤ２０４に登録する。
ＨＤＤ２０４に印刷ジョブを登録すると、Ｓ５０４で操作部２０６のジョブ一覧４０２に図４のＪＯＢＩＤ＿０３の欄に示すように、上記で登録されたシート幅等を含む印刷ジョブ情報を表示する。この表示において装置使用者は６インチ、８インチのいずれのシート幅のシートでも使用可能であることが認識できる。
そしてＳ５０５において、シートカセットに６または８インチのシートが装填されているか確認する。当該シートが装填されている場合はＳ５０６に進み、装填されていなかった場合はＳ５１０に進む。Ｓ５１０では後述するような表示により装置操作者に対し、６または８インチのシート幅のシートをセットするよう促す表示を操作部２０６に行う。
【００５０】
Ｓ５０６で肯定判定が行われた場合、及びＳ５１０で対応するシートがユーザにより装填された場合はＳ５０６において、ＣＰＵ２０１はどのシートを用いて印刷させるかを判断する。ここでの判断は、画像形成装置２００にセットされているシート、先行する印刷ジョブで使用されるシートなどに基づき行われる。ここでは、Ｓ５０７において、６インチのシート幅のシートを使用することに決定されたものとし、Ｓ５０３で登録されたシート幅の情報を、６インチのみに登録し直す。そして、Ｓ５０８において、操作部２０６におけるジョブ一覧４０２のＪＯＢＩＤ＿０３のシート幅の表示を６インチに変更する。
そして、ＪＯＢＩＤ＿０３の印刷順序となった場合、Ｓ５０９においてエンジン制御部２０８に当該ジョブの印刷を実行させる。
【００５１】
次に、画像形成装置２００において印刷処理を行う際に、印刷に使用するシートに関するエラーが発生した場合の処理について説明する。シートに関するエラーには、最適サイズのシートなし、最適なシート種類なし、シートなし、シート残量不足、シート装着エラーなどがある。以下ではシートサイズとして、シート幅、シート種類として片面用、両面用を例に説明するが、これら以外としてもよい。例えば、シートサイズとしてカットシートであれば縦横のサイズ、シート種類として光沢、半光沢、絹目調などのシートの素材や加工方法としてもよい。
【００５２】
図６は、画像形成装置２００においてシートに関するエラーが発生した場合の操作部２０６の表示画面の例を示す図である。ステータス表示領域４０４には、エラーが発生した旨のメッセージが表示される。表示領域６０１にはエラー内容の詳細表示がなされる。ここでは画像形成装置２００が受け付けた印刷ジョブの印刷で必要なシートがないので、その旨を示すメッセージが表示される。表示領域６０２には当該エラーの補足イメージが表示される。ここではシートに関するエラーなので、シートカセットの状態を示す図が表示される。本実施形態ではシートカセットが２基増設され、画像形成装置２００には合計４基のシートカセットが存在している。そして、図中、ａはシートカセット１０１ａのシート、ｂはシートカセット１０１ｂ、ｃは増設された上段のシートカセット、ｄは増設された下段のシートカセットの状態をそれぞれ示す。各シートカセットの図の配置は図１で示した向きで見たシートカセットの配置、即ち操作部２０６の表示画面側から見たシートカセットの配置と一致している。従って、装置操作者は直感的にどのシートカセットの状態を示しているかが容易に把握可能となっている。カセット状態６０３、６０４については後述する。
【００５３】
図７は使用可能なシートとして、６インチ、片面用である印刷ジョブＡを処理する際の処理の流れを示すフローチャートである。ただし、これは一例を示すものであり、他の印刷ジョブでもシートの特定の仕方が異なるのみで同様の手順で処理される。また、ここではいずれかのシートカセットにシートが装填（セット）されているものとする。このフローチャートはＣＰＵ２０１が、ＲＯＭ２０２またはＨＤＤ２０４に格納されている制御プログラムをＲＡＭ２０３にロードし、それを実行することにより行われる処理の流れを示す。
【００５４】
Ｓ７０１では、画像形成装置２００が印刷ジョブを受け付け、図５のＳ５０１からＳ５０４に示したように当該印刷ジョブの印刷準備を開始する。そしてＳ７０２において、ここでは片面印刷を行うので、シートカセットのいずれかに片面用シートが装填されているか判断する。装填されていると判断されればＳ７０３に進み、装填されていないと判断されればＳ７０８に進む。
【００５５】
Ｓ７０３では、装填されている片面用シートの中に６インチのシート幅のシートが含まれるか判断する。含まれていると判断された場合はＳ７０４に進み、含まれていないと判断された場合はＳ７０６に進む。
【００５６】
Ｓ７０４では、６インチのシート幅で片面用のシートが装填されているカセットを確認する。ここではカセットａ（シートカセット１０１ａ）に当該シートが装填されているので、当該カセットのシートを用いるよう決定される。もし、ここで複数のカセットに当該シートが装填されていると判断された場合はよりシートの残量の少ない方を先に用いるよう決定される。そして、Ｓ７０５において、カセットａのシートを用いて印刷ジョブＡの印刷を行うようエンジン制御部２０８に指示し、印刷が実行される。
【００５７】
Ｓ７０６では、印刷ジョブＡの印刷で使用するための最適なサイズのシートが存在しないため、シートサイズなしエラーを発生させ、Ｓ７０７において当該印刷ジョブの印刷処理を停止させる。ここではシートはセットされているが、最適なサイズのシートではないことを示すエラー表示を行う。図６の表示においては、６０３で示すエラーがシートはセットされているが（シートがセットされていない場合のシートなしは６０４のような表示）、適切なシートではない（各カセットの右上の三角形のマーク）ことを示している。また、６０３の表示により印刷待ちの印刷ジョブＡで該当する各カセットのシートの使用予定がないことがわかる。
【００５８】
Ｓ７０８では最適な種類のシートがないのでシート種類なしエラーを発生させる。そして、Ｓ７０９において６インチのシート幅のシートが装填されているか判断する。装填されていると判断された場合は、やはり６０３のようにシートはセットされているが、最適なシートではないことを示す表示を行い、Ｓ７１０で印刷処理を停止させる。装填されていないと判断された場合は、Ｓ７１１でシートサイズなしエラーを発生させ、６０３のような表示を行い、Ｓ７１２で印刷処理を停止させる。
【００５９】
このように、図６のような表示において、使用予定のないシートがセットされているカセットには、それを装置操作者が識別可能なマークを付す。これにより装置操作者はどのカセットのシートを交換させてよいかが識別可能となる。なお、Ｓ７０７、Ｓ７１０、Ｓ７１２で印刷処理が停止されるのは最適なシートがセットされていない場合である。シートが指定されているサイズより大きい場合、または両面用シートの片面のみを使用した場合には印刷はこのような場合であっても印刷させることが可能である。そこで、これら印刷停止させた印刷ジョブに対し、装置操作者が図６の画面を見て、いずれかのシートを使用して印刷を行うよう指示した場合は当該シートを用いて印刷を実行する。なお、以上の場合において、シートサイズなしエラーとシート種類なしエラーとをそれぞれ区別可能な表示としてもよい。
【００６０】
次に図８を用いて一つの印刷ジョブの印刷中にあるカセットのシートがなくなった場合の処理の流れについて説明する。ここでは使用可能なシートとして６インチ、片面用であり、２０ｍ分のシートを使用する印刷ジョブＢを処理する際の流れについて説明する。また、ここでは例えばシート残量検知の誤差等により、１５ｍ分の印刷をしたところで当初使用していたカセットのシートがなくなった場合を想定する。これは一例を示すものであり、他の印刷ジョブ、他の状況においても同様の手順で処理される。このフローチャートはＣＰＵ２０１が、ＲＯＭ２０２またはＨＤＤ２０４に格納されている制御プログラムをＲＡＭ２０３にロードし、それを実行することにより行われる処理の流れを示す。
【００６１】
Ｓ８０１では、Ｓ７０１と同様に印刷ジョブＢの印刷準備を開始する。そして、Ｓ８０２において、カセットａに装填されているシートが、印刷ジョブＢを実行可能なシートであり、当該印刷ジョブを実行可能な残量でかつ最もシートの残量が少ないことを確認する。そして、Ｓ８０３において印刷ジョブＢを、カセットａのシートを用いて印刷するようエンジン制御部２０８に指示して印刷を開始させる。
【００６２】
ここで、印刷ジョブＢの印刷が完了する前にカセットａ内のシートがなくなったことをＳ８０４において検知したとする。すると、Ｓ８０５において他のカセットに６インチのシート幅で片面用であるシートが装填されているか判断する。装填されていると判断された場合はＳ８０６に進み、装填されていないと判断された場合はＳ８０８に進む。
【００６３】
Ｓ８０６では、例えばカセットｄに６インチ、片面用のシートが１００ｍ残っていることを検知し、印刷ジョブＢの残りの印刷をカセットｄのシートを使用することに決定する。そしてＳ８０７において、印刷ジョブＢの残りの印刷を、カセットｄを用いて行うようエンジン制御部２０８に指示し、残りの印刷が開始される。
【００６４】
Ｓ８０８では、残りの印刷を行えるシートがいずれのカセットにも装填されていないのでシートなしエラーを発生させ、Ｓ８０９において印刷処理を停止させる。ここでは同じ印刷ジョブにおいて中断の前後で異なるシートとなってしまうことを防止するため、例え印刷し得るシートが他のカセットに装填されていたとしても、中断前のシートと異なっていればシートなしエラーとなる。シートなしエラーが発生した場合は図９のような表示となる。図９の例はいずれのカセットにもシートが装填されておらず、かつ停止している印刷ジョブがあるためシートのセットを促す識別情報（各カセットの右上のバツ印）が付されているものである。
【００６５】
なお、以上のシートに関するエラーでは、最適なシート（最適サイズ、最適種類）がない場合、使用すべきシートがない場合を示したが、例えばマガジンが適切にセットされていない、カセットからシートが引き出せない状態になっているなどのエラーも考えられる。このようなエラーの場合は図１０に示すような表示を行う。図１０において１００１はカセットｄに異常が発生していることを示している。シートが存在し、何ら異常が発生していない場合は１００２のような表示となる。
【００６６】
また、図６の例では、印刷ジョブＡの後続の印刷ジョブについて、各カセットのシートの使用予定の有無を装置使用者が判断できないものであったが、これを判断できるような表示とすることもできる。画像形成装置２００が受け付けた複数の印刷ジョブについて使用可能なシートを判断する。その結果、先行する印刷ジョブ（現在の印刷対象の印刷ジョブ）では使用されないが、後続の印刷ジョブでは使用するシートを判断し、それを判断できるような表示とする。図１１の１１０１は、後続の印刷ジョブでも使用予定がないことを示している。即ち、１１０１では図６で示したように印刷停止中の印刷ジョブの印刷に最適ではないことを示すマークに加え、後続の印刷ジョブで使用予定がないことを示すマークが付されている。カセットａ、ｃについては後続の印刷ジョブで使用予定があるため使用予定がないことを示すマークは付されない。この図１１の表示を確認した装置操作者は印刷停止となっている印刷ジョブを最適なシートによって実行させるため、当該シートをカセットｂに装填するか、カセットａまたはｃのシートと交換するかを行えばよいことがわかる。そして、カセットｄはここで交換しても後続の印刷ジョブで使用する予定であるため、交換対象から外すことが好ましいことがわかる。これによってシートの交換頻度を下げることができる。
【００６７】
以上のように、本実施形態によれば、画像形成装置２００が受け付けた印刷ジョブの内容、そして画像形成装置２００にセットされているシートの状況に応じて、種々の表示を行うことによって、ユーザに対するシートの適切なセットの方法を通知できる。即ち、シートの有無、シートはあるが受け付け済みの印刷ジョブの印刷には最適ではない、中断された印刷を継続可能なシートがない、先行している印刷ジョブの印刷に最適なシートではなく後続の印刷ジョブで使用予定であるなどを通知できる。従って、ユーザは容易にかつ適切なカセットにシートをセットすることができる。このとき、ユーザは図４の表示とあわせて判断すればより確実な判断ができるし、また図６、９、１０の表示でより詳細な情報を表示させるようにしてもよい。
【００６８】
なお、以上のように操作部２０６に表示させた情報は、ホスト情報２１１の表示装置によって表示させてもよい。その際、ホスト装置２１１が画像形成装置２００からシートの使用状況や受け付け済みの印刷ジョブの内容（または使用予定のシート）等を受信し、それに従って上記のような表示を行うことになる。また、ホスト装置２１１以外、画像形成装置２００から印刷を行う部分を除いた外付けコントローラで同様の処理を行ってもよい。これらのような実施形態では、ホスト装置２１１や外部コントローラのような外部装置が印刷制御装置として機能することになる。
【００６９】
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムは、１つのコンピュータで実行させても、複数のコンピュータが連動して実行するようにしてもよい。また、上記した処理の全てをソフトウェアで実現する必要はなく、一部または全部をハードウェアによって実現するようにしてもよい。
【００７０】
また、本発明は上記実施形態に限定されるものではなく、本発明の趣旨に基づき種々の変形（他の実施形態への応用、他の実施形態との組合せ等を含む）も可能である。
【図１】
0005854611.tif 000002
【図２】
0005854611.tif 000003
【図３】
0005854611.tif 000004
【図４】
0005854611.tif 000005
【図５】
0005854611.tif 000006
【図６】
0005854611.tif 000007
【図７】
0005854611.tif 000008
【図８】
0005854611.tif 000009
【図９】
0005854611.tif 000010
【図１０】
0005854611.tif 000011
【図１１】
0005854611.tif 000012